(57)【要約】【課題】電動送風機の効率を低下させることなく、モータ部の冷却効率に優れた電気掃除機を提案する。【解決手段】電気掃除機１の電動送風機１０は、モータ部１６と、モータ部１６によって回転駆動される遠心ファン１８と、遠心ファン１８の外周縁に設けられた整流板部１９と、整流板部１９に対向された排気孔５２を有する有底円筒状のファンカバー２２と、を備える。電気掃除機１の掃除機本体２は、排気孔５２から吐出される空気をモータ部１６の外周縁に案内する排気風路を形成する電動送風機ケース７６を備える。【選択図】  図３
2010187845.tif 000002
【特許請求の範囲】
【請求項１】
掃除機本体と、
前記掃除機本体に収容された電動送風機と、を備え、
前記電動送風機は、
モータ部と、
前記モータ部によって回転駆動される遠心ファンと、
前記遠心ファンの外周縁に設けられたディフューザと、
前記遠心ファンおよび前記ディフューザを覆うとともに、前記ディフューザに対向された排気孔を有する有底円筒状のファンカバーと、を備え、
前記掃除機本体は、前記排気孔から吐出される空気を前記モータ部の外周縁に案内する排気風路を形成する区画壁を備えたことを特徴とする電気掃除機。
【請求項２】
前記排気風路は、前記排気孔から吐出される空気を前記モータ部の外周縁の一方側に案内するとともに、前記モータ部の中心軸を隔てた他方側に案内することを特徴とする請求項１に記載の電気掃除機。
【請求項３】
前記区画壁は、
前記掃除機本体に収容されるとともに、前記電動送風機を覆う電動送風機ケースを形成することを特徴とする請求項１または２に記載の電気掃除機。
【請求項４】
前記電動送風機ケースは、
前記ファンカバーを覆い、前記排気孔から吐出される空気を集合させる集合管部と、
前記集合管部に連通され、前記モータ部の外周縁の一方側に空気を案内する案内管部と、
前記モータ部を覆い、前記一方側から前記モータ部を隔てた他方側に空気を導く冷却管部と、から構成されたことを特徴とする請求項３に記載の電気掃除機。
【請求項５】
前記電動送風機ケースは、略箱状に形成され、
前記案内管部は、前記電動送風機の長手軸方向に沿い、かつ隣り合う前記電動送風機ケースの２つの角部に設けられたことを特徴とする請求項４に記載の電気掃除機。
【請求項６】
前記電動送風機を前記電動送風機ケースに弾性的に支持する弾性支持機構を備え、
前記弾性支持機構は、
前記電動送風機の重心近傍に設けられた内周リングと、
前記電動送風機ケースに設けられた外周リングと、
前記外リングと内リングとの間に架設された複数の弾性部材と、を備え、
前記集合管部と前記案内管部とは、前記外リングで区画されたことを特徴とする請求項４または５に記載の電気掃除機。
【発明の詳細な説明】
【技術分野】
【０００１】
本発明は、ファンカバーに排気孔を有する電動送風機を備えた電気掃除機に関する。
【背景技術】
【０００２】
従来の電気掃除機は、掃除機本体と、掃除機本体内に設けられた集塵部と、掃除機本体に収容された電動送風機と、を備える。電動送風機は、塵埃を集塵部に吸い込む負圧を発生させるとともに、掃除機本体内に空気を排気する。
【０００３】
電動送風機は、モータ部と、モータ部によって駆動される遠心ファン部と、から構成される。遠心ファン部は、モータ部によって回転駆動される遠心ファンと、遠心ファンの外周縁に配設された整流板（ディフューザ）と、遠心ファンおよび整流板を覆うファンカバーと、から構成される。
【０００４】
従来の電動送風機は、遠心ファンが回転駆動されると、ファンカバーに設けられた吸気口から空気を吸い込み、この空気を整流板によってモータ部に案内し、モータ部を冷却するとともに、モータ部に穿設された排気口から吐き出す。このような従来の電動送風機では、整流板による空気流の方向変換や、モータ部の内部に設けられた回転子や固定子などの構造物による圧力損失などによって効率の低下が生じる。
【０００５】
そこで、ファンカバーに排気孔を設け、整流板によって方向変換される以前の空気流の一部を直接的に排気することで効率を向上させた電動送風機が知られる。（例えば、特許文献１参照。）
【先行技術文献】
【特許文献】
【０００６】
【特許文献１】特開２００５−２２０８５３号公報
【発明の概要】
【発明が解決しようとする課題】
【０００７】
従来の電動送風機は、ファンカバーに排気孔を設けることで効率を向上できる一方で、モータ部に供給される空気の流量が減少するためモータ部の冷却が不十分になり、モータ部の寿命が短くなる虞があった。
【０００８】
本発明は、電動送風機の効率を低下させることなく、モータ部の冷却効率に優れた電気掃除機を提案する。
【課題を解決するための手段】
【０００９】
前記の課題を解決するため本発明では、掃除機本体と、前記掃除機本体に収容された電動送風機と、を備え、前記電動送風機は、モータ部と、前記モータ部によって回転駆動される遠心ファンと、前記遠心ファンの外周縁に設けられたディフューザと、前記遠心ファンおよび前記ディフューザを覆うとともに、前記ディフューザに対向された排気孔を有する有底円筒状のファンカバーと、を備え、前記掃除機本体は、前記排気孔から吐出される空気を前記モータ部の外周縁に案内する排気風路を形成する区画壁を備えたことを特徴とする。
【発明の効果】
【００１０】
本発明によれば、電動送風機の効率を低下させることなく、モータ部の冷却効率に優れた電気掃除機を提案できる。
【図面の簡単な説明】
【００１１】
【図１】本発明に係る電気掃除機の外観を示した斜視図。
【図２】本発明に係る電気掃除機の電動送風機を部分的に切り欠いて示した平面図。
【図３】本発明に係る電気掃除機の掃除機本体の要部を示した斜視図。
【図４】本発明に係る電気掃除機の掃除機本体の要部を部分的に切り欠いて示した斜視図。
【図５】本発明に係る電気掃除機の掃除機本体の要部を部分的に切り欠いて示した斜視図。
【発明を実施するための形態】
【００１２】
本発明に係る電気掃除機の実施形態について図１から図５を参照して説明する。
【００１３】
図１は、本発明に係る電気掃除機の外観を示した斜視図である。
【００１４】
図１に示すように、本実施形態に係る電気掃除機１は、掃除機本体２と、集塵ホース３と、手元操作管４と、把持部５と、操作部６と、延長管７と、吸込口体８とを備える。
【００１５】
掃除機本体２は接続口２ａを有する。接続口２ａには、集塵ホース３の一端が着脱自在に接続される。掃除機本体２には、塵埃分離集塵部（図示省略）と、電動送風機１０と、制御部１１と、が収容される。制御部１１は、電動送風機１０に供給される電力を制御し、電動送風機１０の運転出力を複数の運転モードから択一的に選択し制御する。また、掃除機本体２には、電動送風機１０の排気が吐出される本体排気口（図示省略）が形成される。掃除機本体２は、電動送風機１０に電力を導く電源コード１２を備える。電源コード１２の自由端部には、電源プラグ１３が形成される。
【００１６】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１７】
手元操作管４の一端は、集塵ホース３の他端に設けられる。手元操作管４は、集塵ホース３を介して掃除機本体２の内部に連通される。
【００１８】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００１９】
操作部６は、把持部５に設けられる。電気掃除機１の使用者は、操作部６を操作して電気掃除機１の運転モードを選択できる。操作部６は、電動送風機１０の運転を停止させる停止スイッチ６ａや、電動送風機１０の運転を開始させる起動スイッチ６ｂなどを有する。
【００２０】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００２１】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口は、床面などの被掃除面に吸込口体８を配置すると、被掃除面に対向する。
【００２２】
電気掃除機１を運転すると、電動送風機１０が作動して、掃除機本体２の内に負圧が作用する。この負圧は接続口２ａから集塵ホース３と手元操作管４と延長管７とを経て吸込口体８に作用する。そうすると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵部によって空気と塵埃とに分離される。分離された塵埃は、塵埃分離集塵部に集塵される。他方、分離された空気は、電動送風機１０に吸い込まれて、掃除機本体２の本体排気口から吐出される。
【００２３】
図２は、本発明に係る電気掃除機の電動送風機を部分的に切り欠いて示した平面図である。
【００２４】
図２に示すように、電動送風機１０は、遠心ファン部１５と、モータ部１６と、を備える。
【００２５】
遠心ファン部１５は、モータ部１６によって回転駆動される遠心ファン１８と、遠心ファン１８の外周縁に配設された整流板部１９（ディフューザ）と、吸気口２１を有し、遠心ファン１８および整流板部１９を覆うファンカバー２２と、から構成される。
【００２６】
遠心ファン１８は、モータ部１６によって回転される。遠心ファン１８は、その回転時に空気との摩擦によって発生する熱に対する耐熱性や、回転時の慣性や重量などを考慮して、例えばアルミニウム合金などを用いて形成される。
【００２７】
また、遠心ファン１８は、上板２４と、下板２５と、複数のファン翼２６と、を備える。遠心ファン１８は、上板２４と、下板２５と、ファン翼２６とで区画された複数の渦巻状の吸気風路２８を有する。
【００２８】
上板２４は略円板状に形成される。上板２４は、その中心部分に吸込口２９を有する。吸込口２９は、ファンカバー２２の吸気口２１に対向させて配置される。上板２４の吸込口２９の縁部は、吸気口２１側に湾曲される。すなわち、上板２４は、吸込口２９を中心に下板２５側に向けて拡開状に形成される。吸込口２９の周縁部は、シール部材３１に食い込ませて位置される。
【００２９】
下板２５は、上板２４と略同径の略円板状に形成される。下板２５は、その中心部分にモータ部１６のロータ軸３２が嵌挿される嵌挿孔３３を有する。
【００３０】
ファン翼２６は動翼である。ファン翼２６は、上板２４および下板２５を離間させて、上板２４および下板２５のそれぞれに接合される。ファン翼２６は、電動送風機１０の長手軸直行方向に放射状に配置され、かつ渦巻状の壁状に設けられる。ファン翼２６は、遠心ファン１８の吸込口２９側に位置された吸込側端部２６ａから、遠心ファン１８の吐出口３４側に位置された吐出側端部２６ｂまでの全長に亘って上板２４および下板２５に挟持される。
【００３１】
なお、遠心ファン１８は、モータ部１６によって、ファン翼２６が中心から径方向に巻く渦の反対方向に回転される。
【００３２】
整流板部１９は、遠心ファン部１５とモータ部１６との間に設けられた整流板保持体３８に固定され、遠心ファン１８と整流板保持体３８との間に配設される。整流板部１９の径寸法はファンカバー２２の内径よりも小さい。すなわち整流板部１９の外周部はファンカバー２２の内周面から離間される。整流板部１９は、整流板本体４０と、複数の上流整流板４１と、複数の下流整流板４２と、を備える。
【００３３】
整流板本体４０は略円板状に形成される。整流板本体４０は、その中心部に整流板保持体３８の軸受部４４を嵌挿する略円形の貫通孔４５を有する。整流板本体４０は、遠心ファン１８の径寸法よりも大きく形成される。
【００３４】
上流整流板４１は、静翼である。上流整流板４１は、整流板本体４０の遠心ファン１８側の面に突出され、整流板本体４０に対して略垂直な円弧壁状に形成される。上流整流板４１は、遠心ファン１８の外周から若干離間された周縁に配置される。それぞれの上流整流板４１は、互いに略等間隔に離間されるとともに、電動送風機１０の長手軸方向視で渦巻状に配置される。上流整流板４１の整流板本体４０の中心側に位置された内側端部縁４１ａは、遠心ファン１８に対向される。上流整流板４１の他方の外側端部縁４１ｂは、整流板本体４０の外周縁に位置される。上流整流板４１の渦巻方向は遠心ファン１８のファン翼２６の渦巻方向の逆方向に形成される。それぞれの上流整流板４１の間には、整流板本体４０の外周方向に向かって次第に幅広となる案内風路４６が区画される。案内風路４６は、遠心ファン１８から吐出された空気をファンカバー２２の内周に案内する風路である。
【００３５】
下流整流板４２は、整流板本体４０のモータ部１６側の面に突出され、整流板本体４０に対して略垂直な円弧壁状に形成される。それぞれの下流整流板４２は、上流整流板４１の渦巻方向とは逆方向の渦巻状に配置される。それぞれの下流整流板４２は、互いに略等間隔に離間される。それぞれの下流整流板４２の間には流過風路４７が区画される。流過風路４７は、案内風路４６からファンカバー２２の内周に吐出された空気の一部をケース部開口４８に案内する風路である。
【００３６】
ファンカバー２２は略有底円筒状に形成される。ファンカバー２２の底面部５０は、略円筒状の側面部５１から連続させて形成される。底面部５０は、中央部に略円形の吸気口２１を有する。吸気口２１から吸い込まれた空気は、遠心ファン１８に案内される。ファンカバー２２の側面部５１は、整流板部１９に対向させて開口された排気孔５２を有する。排気孔５２は、上流整流板４１の案内風路４６から吐出された空気の一部を遠心ファン部１５の外へ排気させる。したがって、上流整流板４１の案内風路４６から吐出された空気の一部は排気孔５２から電動送風機１０の外部へ吐出され、他の部分は下流整流板４２の流過風路４７によってモータ部１６に案内される。
【００３７】
モータ部１６は、遠心ファン１８の駆動力を発生させる駆動源である。モータ部１６は、固定子５５と、回転子５６と、一対のブラシ機構５７と、排気口５８を有するモータケース５９と、を備える。
【００３８】
固定子５５は、モータケース５９の側面部６０の内周面に設けられる。
【００３９】
回転子５６は、固定子５５の内側に配設される。回転子５６の軸心には、ロータ軸３２が設けられる。ロータ軸３２は、モータ部１６から遠心ファン１８に軸動力を伝達する。ロータ軸３２は、モータケース５９のベアリング６２と、整流板保持体３８のベアリング６３とで回転自在に軸支される。ロータ軸３２は、モータケース５９の長手方向軸の略同軸上に配設される。ロータ軸３２には整流子６４が設けられる。
【００４０】
ブラシ機構５７は、モータケース５９の側面部６０から一部突出させて設けられる。それぞれのブラシ機構５７は、モータケース５９の長手方向軸を対称軸として、ほぼ対向させて配置される。
【００４１】
また、ブラシ機構５７は、整流子６４に摺接されたカーボンブラシ６５と、カーボンブラシ６５を保持するブラシ保持器６６とを有する。ブラシ保持器６６は、ロータ軸３２の略軸直交方向にカーボンブラシ６５を保持する。カーボンブラシ６５は、ブラシ保持器６６に押圧されて整流子６４に摺接される。カーボンブラシ６５と整流子６４とは、互いに電気的に導通される。
【００４２】
モータケース５９は略有底円筒状に形成される。モータケース５９の開口端部６８には、略円筒状の側面部６０から径方向外側に突出されたフランジ部６９が形成される。フランジ部６９は、ファンカバー２２の開口端部７１に嵌合される。モータケース５９の内部は、開口端部６８のケース部開口４８を介してファンカバー２２の内部に連通される。他方、モータケース５９の底面部７２は、側面部６０から連続させて形成される。底面部７２の中央部には、略円筒状のモータヘッド部７３が形成される。モータヘッド部７３にはベアリング６２が収容される。側面部６０は、その後端近傍に排気口５８を有する。
【００４３】
また、モータケース５９のケース部開口４８には、整流板保持体３８が設けられる。
【００４４】
整流板保持体３８は、板状に形成され、モータケース５９の径方向に架設される。また、整流板保持体３８は、ケース部開口４８の一部を覆う。整流板保持体３８の中央部には、遠心ファン１８の方に突出させて略有底円筒状の軸受部４４が設けられる。軸受部４４の内周面にはベアリング６３が収容される。軸受部４４の底面部は、ロータ軸３２が挿通される挿通孔７４を有する。
【００４５】
ケース部開口４８のうち、整流板保持体３８で覆われていない部分は、モータケース５９の内部と、ファンカバー２２の内部とを連通させる連通口（図示省略）である。
【００４６】
電動送風機１０は、モータ部１６に電力が供給されると回転子５６が回転駆動される。この駆動力は、ロータ軸３２によって遠心ファン１８に伝達され、遠心ファン１８を回転駆動させる。遠心ファン１８が回転駆動されると、ファンカバー２２の吸気口２１から空気が吸い込まれ、遠心ファン１８の吸込口２９を経て吐出口３４から吐出される。遠心ファン１８から吐出された空気は、整流板部１９の案内風路４６によってファンカバー２２の内周面に案内される。この空気は、ファンカバー２２の排気孔５２から排気される一部の空気と、整流板部１９の流過風路４７によってモータ部１６に案内される他の部分の空気とに分岐される。モータ部１６に案内された空気は、モータ部１６の内部を冷却しつつ、排気口５８から排気される。
【００４７】
図３から図５は、本発明に係る電気掃除機の掃除機本体の要部を示した斜視図である。
【００４８】
図３は、掃除機本体２を部分的に切り欠いて示した図であり、図４は、さらに電動送風機ケース７６を切り欠いて示した図である。また、図５は、掃除機本体２と電動送風機ケース７６とを、その幅方向に切り欠いて示した図である。
【００４９】
図３から図５に示すように、電気掃除機１の掃除機本体２は、電動送風機１０が収容された電動送風機ケース７６（区画壁）を有する。電動送風機ケース７６は、ファンカバー２２の排気孔５２から排気された空気をモータ部１６の外周縁に導く流路（排気風路）を区画する区画壁である。電動送風機ケース７６内には、弾性支持機構７７が設けられる。弾性支持機構７７は、電動送風機１０を弾性的に支持する。また、掃除機本体２は、電動送風機ケース７６に併設されたコードリール７８を備える。
【００５０】
電動送風機ケース７６は、掃除機本体２の意匠面を構成する外殻ケース（図示省略）の一部であっても良く、外殻ケースの内部に収容される別構造品であっても良い。
【００５１】
また、電動送風機ケース７６は、略箱状に形成される。電動送風機ケース７６の内面は、弾性支持機構７７で支持された電動送風機１０と干渉しないように、電動送風機１０との間に隙間を有する。電動送風機ケース７６は、ケース吸気口７６ａを有する集合管部７９と、集合管部に連通された案内管部８０と、案内管部８０に連通され、ケース排気口７６ｂを有する冷却管部８１と、を備える。
【００５２】
集合管部７９は、電動送風機１０の遠心ファン部１５を覆い、電動送風機１０の運転によってファンカバー２２の排気孔５２から排気される空気を集合させて案内管部８０に導く。集合管部７９のケース吸気口７６ａは、電動送風機１０の吸気口２１に対応させて開口され、電動送風機ケース７６外から吸い込まれる空気が電動送風機１０に効率よく吸い込まれるよう配置される。
【００５３】
ここで、電動送風機１０の長手軸方向の投影面積は、一般に遠心ファン部１５が最も大きい。そこで、集合管部７９の長手軸直交方向の略方形状断面の各辺は、少なくとも電動送風機１０の遠心ファン部１５の長手軸方向の円状投影面の直径よりも大きく形成される。
【００５４】
案内管部８０は、箱状に形成された電動送風機ケース７６の角部のうち、電動送風機１０の長手軸方向に沿い、かつ互いに隣り合って位置された角部８２、８３に設けられる。したがって、案内管部８０は、電動送風機ケース７６の長手軸方向視において、遠心ファン部１５の長手軸方向の円状投影面と、集合管部７９の長手軸直交方向の略方形状断面との間に形成される角部の空間に連通される。また、案内管部８０は、集合管部７９で集合された電動送風機１０の排気を電動送風機ケース７６の長手方向に沿う一面側、さらに具体的には角部８２、８３から電動送風機１０の一方側に偏倚させて冷却管部８１に導く。
【００５５】
冷却管部８１は、案内管部８０に連通されるとともに、案内管部８０との連通部位から電動送風機ケース７６の長手方向に沿う他面側にケース排気口７６ｂを有する。電動送風機ケース７６の長手方向に沿う他面は、角部８２、８３を有する電動送風機ケース７６の長手方向に沿う一面側に対向された面である。換言すれば、冷却管部８１は、案内管部８０との連通部位から電動送風機１０のモータ部１６を隔てた位置にケース排気口７６ｂを有する。冷却管部８１は、案内管部８０から案内された空気にモータ部１６の外周縁の一方側からモータ部１６の中心軸を隔てた他方側に向かう空気流を発生させ、モータ部１６を冷却する。モータ部１６の他方側に案内された空気は、ケース排気口７６ｂから吐出される。
【００５６】
弾性支持機構７７は、電動送風機１０の運転によって発生する振動を絶縁する防振支持部である。弾性支持機構７７は、集合管部７９と、冷却管部８１との間に設けられる。弾性支持機構７７は、内周リング８５と、外周リング８６と、コイルバネ８７（弾性部材）と、を備える。
【００５７】
内周リング８５は、電動送風機１０の重心に近いモータ部１６の外周に設けられる。内周リング８５の外面には、コイルバネ８７が係止される凸部（図示省略）が径方向外側に突設される。
【００５８】
外周リング８６は、電動送風機ケース７６の内面に設けられる。外周リング８６の内面には、コイルバネ８７が係止される凸部（図示省略）が径方向内側に突設される。外周リング８６の凸部と、内周リング８５の凸部とは、離間させて対向される。外周リング８６は、モータ部１６の外周縁に向かって突設された環状区画板８８を備える。環状区画板８８は、弾性支持機構７７によって弾性支持された電動送風機１０の最大変位を考慮しつつ、モータ部１６の近くまで極力突出される。外周リング８６は、環状区画板８８によって集合管部７９と冷却管部８１との間を区画する。外周リング８６によって区画された集合管部７９と冷却管部８１との間の圧力損失は、集合管部７９から案内管部８０を経て冷却管部８１に至る流路の圧力損失に比べて十分に大きくなるよう構成される。
【００５９】
コイルバネ８７は、圧縮力Ｆが付勢され、内周リング８５の凸部と、外周リング８６の凸部との間に架設された弾性部材である。コイルバネ８７の一端は、内周リング８５の凸部に嵌め込まれ、その他端は、外周リング８６の凸部に嵌め込まれて架設される。コイルバネ８７は、内周リング８５と外周リング８６との間に少なくとも３本以上の所要の本数が放射状に等間隔に離間されて配置される。コイルバネ８７の代わりに、内周リング８５と外周リング８６との間に圧縮力Ｆを付勢可能な板バネ、トーションバーなどの他の形式のバネや弾性体を用いて弾性支持機構７７を構成しても良い。
【００６０】
このように構成された本実施形態に係る電気掃除機１は、その運転が開始され、電動送風機１０が駆動されると、電動送風機ケース７６のケース吸気口７６ａから電動送風機１０の吸気口２１に空気が吸い込まれる。電動送風機１０に吸い込まれた空気の一部は、ファンカバー２２の排気孔５２から電動送風機ケース７６の集合管部７９内に吐出される。集合管部７９に吐出された空気は、その一部が弾性支持機構７７の外周リング８６と電動送風機１０との隙間から冷却管部８１に漏れ出すものの、その大部分が案内管部８０に向かって集められ、冷却管部８１に導かれる。冷却管部８１に導かれた空気は、モータ部１６の一方側から、モータ部１６を隔てた位置に形成されたケース排気口７６ｂに向かって流れる。このとき、冷却管部８１に導かれた空気は、モータ部１６の一方側から、モータ部１６の中心軸を隔てた他方側に向かって流れつつモータ部１６を冷却する。また、冷却管部８１内には、電動送風機１０の排気口５８からも空気が吐出される。この空気は、案内管部８０を通って冷却管部８１に流れ込む空気と合流し、ケース排気口７６ｂに向かって流れる。冷却管部８１内で合流した空気の流れは、ケース排気口７６ｂから電動送風機ケース７６の外に排気される。この後、電動送風機ケース７６の排気は、本体排気孔から掃除機本体２の外部に排気される（図４および図５中の破線矢。）。
【００６１】
すなわち、本実施形態に係る電気掃除機１によれば、吸い込んだ空気の一部をファンカバー２２の排気孔５２から排気することで効率を向上させた電動送風機１０について、ファンカバー２２の排気孔５２から排気された空気をモータ部１６に導くことが可能となる。したがって、本実施形態に係る電気掃除機１によれば、電動送風機１０の効率の観点では、電動送風機１０に吸い込まれた空気の全量を電動送風機１０の内部に形成した流路を介してモータ部１６の内部に導く場合に比べ、圧力損失を十分に小さくできる排気風路を電動送風機ケース７６で区画することで電動送風機１０の吸込効率を損なうことがない。他方、モータ部１６を冷却する空気流量の観点では、電動送風機１０の排気の全量をモータ部１６の冷却に用いることが可能となる。
【００６２】
また、本実施形態に係る電気掃除機１によれば、集合管部７９と冷却管部８１とを連通させる案内管部８０を箱状の電動送風機ケース７６の角部８２、８３に位置させることで、電動送風機ケース７６を極力小さく形成できる。
【００６３】
さらに、本実施形態に係る電気掃除機１によれば、弾性支持機構７７を電動送風機ケース７６に設け、外周リング８６の環状区画板８８によって集合管部７９と冷却管部８１とを区画できるので、電動送風機１０に発生する振動の絶縁構造と、モータ部１６の冷却構造とを効率的に構成できる。
【００６４】
したがって、本実施形態に係る電気掃除機１は、電動送風機１０の効率を低下させることなく、モータ部１６の冷却効率に優れる。
【符号の説明】
【００６５】
１  電気掃除機
２  掃除機本体
２ａ  接続口
３  集塵ホース
４  手元操作管
５  把持部
６  操作部
６ａ  停止スイッチ
６ｂ  起動スイッチ
７  延長管
８  吸込口体
１０  電動送風機
１１  制御部
１２  電源コード
１３  電源プラグ
１５  遠心ファン部
１６  モータ部
１８  遠心ファン
１９  整流板部
２１  吸気口
２２  ファンカバー
２４  上板
２５  下板
２６  ファン翼
２６ａ  吸込側端部
２６ｂ  吐出側端部
２８  吸気風路
２９  吸込口
３１  シール部材
３２  ロータ軸
３３  嵌挿孔
３４  吐出口
３８  整流板保持体
４０  整流板本体
４１  上流整流板
４１ａ  内側端部縁
４１ｂ  外側端部縁
４２  下流整流板
４４  軸受部
４５  貫通孔
４６  案内風路
４７  流過風路
４８  ケース部開口
５０  底面部
５１  側面部
５２  排気孔
５５  固定子
５６  回転子
５７  ブラシ機構
５８  排気口
５９  モータケース
６０  側面部
６２  ベアリング
６３  ベアリング
６４  整流子
６５  カーボンブラシ
６６  ブラシ保持器
６８  開口端部
６９  フランジ部
７１  開口端部
７２  底面部
７３  モータヘッド部
７４  挿通孔
７６  電動送風機ケース
７６ａ  ケース吸気口
７６ｂ  ケース排気口
７７  弾性支持機構
７８  コードリール
７９  集合管部
８０  案内管部
８１  冷却管部
８２、８３  角部
８５  内周リング
８６  外周リング
８７  コイルバネ
８８  環状区画板
【図１】
2010187845.tif 000003
【図２】
2010187845.tif 000004
【図３】
2010187845.tif 000005
【図４】
2010187845.tif 000006
【図５】
2010187845.tif 000007